(57)【特許請求の範囲】
【請求項１】
透液性表面シートと裏面シートとの間にパルプ及び高吸水性樹脂を主成分とする吸収体が介在された吸収性物品において、
前記吸収体は、少なくとも体液排出部を含む領域に、前記高吸水性樹脂が配置された高吸水性樹脂配置領域と、前記高吸水性樹脂が配置されていない高吸水性樹脂無配置領域又は前記高吸水性樹脂配置領域よりも前記高吸水性樹脂の密度が相対的に低い高吸水性樹脂低密度領域とがそれぞれ吸収性物品の略長手方向に沿う方向に延びるとともに、吸収性物品の幅方向に交互に配置され、
前記吸収体と透液性表面シートとが、前記高吸水性樹脂配置領域の幅方向中央部を長手方向に沿う筋状の接着部にて接合され、前記高吸水性樹脂無配置領域又は前記高吸水性樹脂低密度領域では接合されていないことを特徴とする吸収性物品。
【請求項２】
透液性表面シートと裏面シートとの間にパルプ及び高吸水性樹脂を主成分とする吸収体が介在された吸収性物品において、
前記吸収体は、少なくとも体液排出部を含む領域に、前記高吸水性樹脂が配置された高吸水性樹脂配置領域と、前記高吸水性樹脂が配置されていない高吸水性樹脂無配置領域又は前記高吸水性樹脂配置領域よりも前記高吸水性樹脂の密度が相対的に低い高吸水性樹脂低密度領域とがそれぞれ吸収性物品の略長手方向に沿う方向に延びるとともに、吸収性物品の幅方向に交互に配置され、
前記吸収体と透液性表面シートとが、前記高吸水性樹脂配置領域の幅方向中央部を長手方向に沿う筋状の接着部、及び前記高吸水性樹脂無配置領域又は前記高吸水性樹脂低密度領域の幅方向中央部を長手方向に沿う筋状の接着部にて接合されていることを特徴とする吸収性物品。
【請求項３】
吸液前の前記吸収体の肌側面がほぼ平坦に形成されている請求項１、２いずれかに記載の吸収性物品。
【請求項４】
前記吸収体の幅方向中央部に前記高吸水性樹脂無配置領域又は前記高吸水性樹脂低密度領域が配置されている請求項１〜３いずれかに記載の吸収性物品。
【請求項５】
前記吸収体の長手方向両端部はそれぞれ、全幅に亘って前記高吸水性樹脂配置領域とされ、前記高吸水性樹脂無配置領域又は前記高吸水性樹脂低密度領域が配置されていない請求項１〜４いずれかに記載の吸収性物品。
【請求項６】
前記高吸水性樹脂配置領域において、前記高吸水性樹脂は、前記吸収体の肌側に偏在して配置されている請求項１〜５いずれかに記載の吸収性物品。
【発明の詳細な説明】
【技術分野】
【０００１】
本発明は、尿や経血などを吸収するための失禁パッド、使い捨ておむつ、生理用ナプキン等の吸収性物品に係り、詳しくは吸液時に吸収体表面の一部が隆起して表面に畝部と溝部が形成されるようにした吸収性物品に関する。
【背景技術】
【０００２】
従来より、前記吸収性物品として、ポリエチレンシートまたはポリエチレンシートラミネート不織布などの不透液性裏面シートと、不織布または透液性プラスチックシートなどの透液性表面シートとの間に吸収体を介在したものが知られている。
【０００３】
この種の吸収性物品にも幾多の改良が重ねられ、特に失禁パッドなどのように一度にドッと出る尿を小さな面積で受け止め、素早く拡散させるための、一時貯留及び尿拡散手段の一つとして、肌側に長手方向に沿って凹溝を形成したものが種々提案されている。
【０００４】
しかしながら、腹圧性失禁の人の場合、１回に出る尿量が少なく、排尿部やその周辺しか吸水しないため、これより前後の吸水していない領域がもったいないなどの理由から、長時間交換せずに繰り返し吸収させることがあった。この際に少量ずつ同じ部分に吸収させることで、製品中央部分のみの高吸水性樹脂が膨潤して装着感が悪くなる問題があった。
【０００５】
また、下記特許文献１においては、着用者の股間部に対向する位置に開口が形成された繊維集合層を有する上側吸収層と、前記上側吸収層とバックシートとの間に配置されて前記開口の下側を覆う吸収シートとを備え、前記吸収シートが２枚のシートと高吸収性材料とを備え、高吸収性材料の密度が周囲に比べて低いまたは高吸収性材料が存在しない低密度領域が、前記開口に重なる位置から長手方向に沿って線状または網目状に連続して広がる吸収性物品が開示されている。
【０００６】
下記特許文献２においては、長手方向中央に位置する第１吸収部と、前後に延出する第２吸収部及び第３吸収部とに区分され、第２吸収部のポリマーの坪量が第３吸収部よりも高く、第１吸収部に第１凹部が形成され、その端部が吸収体側縁に達しておらず、かつその延びる方向が、吸収体の長手方向を向いており、第２吸収部の表面に、第１凹部から連続しかつ吸収体の長手方向に延在する第２凹部が形成されている吸収性物品が開示されている。
【０００７】
更に、下記特許文献３においては、吸収ユニットとして、不織布基材と、この不織布基材の表面に帯状に延びる複数の高吸収層により形成された吸収ゾーンと、この高吸収層の存在しない通気ゾーンとを有する失禁用吸収パッドが開示されている。
【先行技術文献】
【特許文献】
【０００８】
【特許文献１】特開２０１１−１２０７１０号公報
【特許文献２】特開２０１４−１４６６７号公報
【特許文献３】特開２００１−１９０５８１号公報
【発明の概要】
【発明が解決しようとする課題】
【０００９】
上記特許文献１に記載される吸収性物品では、上側吸収層の着用者の股間部に対向する位置に大きな開孔が設けられ、吸収性物品の表面が身体に密着しないため、ごく少量の尿が排出された場合、肌を伝って漏れが発生する問題があった。また、上記特許文献２に記載される吸収性物品では、前記第１凹部の別の形態として貫通孔を形成したものが開示されるものの、排尿部との当接部分はほぼ平坦に形成されるので、吸収性物品の表面が常時排尿部に密着して濡れ感を感じる場合があった。また、上記特許文献３に記載される失禁用吸収パッドでは、前記吸収ユニットが高吸水性樹脂によって構成され、パルプを有していないため、初期吸水速度が遅く前後に流れすぎて漏れるおそれがあった。また、１回目に吸収される、高吸水性樹脂が膨潤して畝溝構造が形成される前段階では、横方向に広がりやすく横漏れを生じるおそれがあった。
【００１０】
そこで本発明の主たる課題は、少量ずつ同じ部分に繰り返し排出される場合でも、装着感を悪化させることなく、高い吸収性能が得られるようにした吸収性物品を提供することにある。
【課題を解決するための手段】
【００１１】
上記課題を解決するために請求項１に係る本発明として、透液性表面シートと裏面シートとの間にパルプ及び高吸水性樹脂を主成分とする吸収体が介在された吸収性物品において、
前記吸収体は、少なくとも体液排出部を含む領域に、前記高吸水性樹脂が配置された高吸水性樹脂配置領域と、前記高吸水性樹脂が配置されていない高吸水性樹脂無配置領域又は前記高吸水性樹脂配置領域よりも前記高吸水性樹脂の密度が相対的に低い高吸水性樹脂低密度領域とがそれぞれ吸収性物品の略長手方向に沿う方向に延びるとともに、吸収性物品の幅方向に交互に配置され、
前記吸収体と透液性表面シートとが、前記高吸水性樹脂配置領域の幅方向中央部を長手方向に沿う筋状の接着部にて接合され、前記高吸水性樹脂無配置領域又は前記高吸水性樹脂低密度領域では接合されていないことを特徴とする吸収性物品が提供される。
【００１２】
上記請求項１記載の発明においては、前記高吸水性樹脂が吸水して膨潤することにより、前記高吸水性樹脂配置領域が前記高吸水性樹脂無配置領域又は前記高吸水性樹脂低密度領域より肌側に高く隆起することによって、吸収体の表面に、前記高吸水性樹脂配置領域による畝部と前記前記高吸水性樹脂無配置領域又は前記高吸水性樹脂低密度領域による溝部とが吸収性物品の略長手方向に沿う方向に延びるとともに、吸収性物品の幅方向に交互に形成されるようになる。従って、少量ずつ同じ部分に繰り返しの排出があった場合でも、前記溝部を通って体液が前後に流れるため、同じ場所に集中して吸収されることがなく、装着感を悪化させずに、高い吸収性能が得られるようになる。また、前記高吸水性樹脂無配置領域又は高吸水性樹脂低密度領域にパルプを有しているため、初期吸水速度が速く、体液が拡散しすぎて漏れが発生するのが防止できる。更に、吸液後に肌に接触する部分は、前記高吸水性樹脂配置領域によって形成される畝部であるため、肌との接触面積が小さくなり、濡れ感による不快感が軽減できるようになる。
【００１３】
また、本発明では、前記吸収体と透液性表面シートとが、前記高吸水性樹脂配置領域の幅方向中央部を長手方向に沿う筋状の接着部にて接合され、前記高吸水性樹脂無配置領域又は前記高吸水性樹脂低密度領域では接合されないようにすることによって、高吸水性樹脂が吸水して膨潤し高吸水性樹脂配置領域が肌側に隆起したときに、前記高吸水性樹脂無配置領域又は前記高吸水性樹脂低密度領域によって形成される溝部が透液性表面シートが介在しない空間部となり、この空間部を通って体液が拡散しやすくなる。
【００１４】
請求項２に係る本発明として、透液性表面シートと裏面シートとの間にパルプ及び高吸水性樹脂を主成分とする吸収体が介在された吸収性物品において、
前記吸収体は、少なくとも体液排出部を含む領域に、前記高吸水性樹脂が配置された高吸水性樹脂配置領域と、前記高吸水性樹脂が配置されていない高吸水性樹脂無配置領域又は前記高吸水性樹脂配置領域よりも前記高吸水性樹脂の密度が相対的に低い高吸水性樹脂低密度領域とがそれぞれ吸収性物品の略長手方向に沿う方向に延びるとともに、吸収性物品の幅方向に交互に配置され、
前記吸収体と透液性表面シートとが、前記高吸水性樹脂配置領域の幅方向中央部を長手方向に沿う筋状の接着部、及び前記高吸水性樹脂無配置領域又は前記高吸水性樹脂低密度領域の幅方向中央部を長手方向に沿う筋状の接着部にて接合されていることを特徴とする吸収性物品が提供される。
【００１５】
上記請求項２記載の発明では、高吸水性樹脂配置領域の接着部に加えて、高吸水性樹脂無配置領域又は高吸水性樹脂低密度領域でも同様にして筋状の接着部にて吸収体と透液性表面シートとを接合しているため、吸収体の肌側面に畝部と溝部が形成されるのに連動して透液性表面シートも凹凸状に形成されるようになり、肌との接触面積が更に小さくなって濡れ感による不快感を感じにくくなる。
【００１６】
請求項３に係る本発明として、吸液前の前記吸収体の肌側面がほぼ平坦に形成されている請求項１、２いずれかに記載の吸収性物品が提供される。
【００１７】
上記請求項３記載の発明では、吸液前の吸収体の肌側面をほぼ平坦に形成してあるため、吸液前の吸収性物品の表面が肌面に密着でき、少量の体液が排出された場合でも吸収体に確実に吸収できるようになる。
【００１８】
請求項４に係る本発明として、前記吸収体の幅方向中央部に前記高吸水性樹脂無配置領域又は前記高吸水性樹脂低密度領域が配置されている請求項１〜３いずれかに記載の吸収性物品が提供される。
【００１９】
上記請求項４記載の発明では、前記吸収体の幅方向中央部に前記高吸水性樹脂無配置領域又は前記高吸水性樹脂低密度領域を配置することによって、吸液によって前記畝部及び溝部が形成されたとき、幅方向中央部の着用者の体液排出部に当接する部分が溝部となり、繰り返し排出される体液を前後方向に拡散しやすくしている。
【００２０】
請求項５に係る本発明として、前記吸収体の長手方向両端部はそれぞれ、全幅に亘って前記高吸水性樹脂配置領域とされ、前記高吸水性樹脂無配置領域又は前記高吸水性樹脂低密度領域が配置されていない請求項１〜４いずれかに記載の吸収性物品が提供される。
【００２１】
上記請求項５記載の発明では、長手方向両端部からの漏れを防止するため、吸収体の長手方向両端部はそれぞれ全幅に亘って高吸水性樹脂配置領域とし、前記高吸水性樹脂無配置領域又は前記高吸水性樹脂低密度領域を配置しないようにしている。
【００２２】
請求項６に係る本発明として、前記高吸水性樹脂配置領域において、前記高吸水性樹脂は、前記吸収体の肌側に偏在して配置されている請求項１〜５いずれかに記載の吸収性物品が提供される。
【００２３】
上記請求項６記載の発明では、高吸水性樹脂を吸収体の肌側に偏在して配置することによって、高吸水性樹脂が吸水して膨潤したときに高吸水性樹脂配置領域を肌側に隆起させやすくしている。
【発明の効果】
【００２４】
以上詳説のとおり本発明によれば、少量ずつ同じ部分に繰り返し排出される場合でも、装着感が悪化せず、高い吸収性能が得られるようになる。
【図面の簡単な説明】
【００２５】
【図１】本発明に係る失禁パッド１の一部破断展開図である。
【図２】図１のII−II線矢視図である。
【図３】(A)は吸液前、(B)は吸液後の吸収体４の斜視図である。
【図４】(A)〜(C)は、他の形態例に係る吸収体４の平面図である。
【図５】(A)、(B)は、他の形態例に係る吸収体４の斜視図である。
【図６】透液性表面シート３との接合状態を示す、(A)は吸液前、(B)は吸液後の吸収体４の斜視図（その１）である。
【図７】透液性表面シート３との接合状態を示す、(A)は吸液前、(B)は吸液後の吸収体４の斜視図（その２）である。
【図８】吸収体４の製造方法を示す断面図である。
【発明を実施するための形態】
【００２６】
以下、本発明の実施の形態について図面を参照しながら詳述する。
【００２７】
〔失禁パッド１の基本構成〕
本発明に係る失禁パッド１は、図１及び図２に示されるように、ポリエチレンシートなどからなる不透液性裏面シート２と、尿などを速やかに透過させる透液性表面シート３と、これら両シート２、３間に介装された綿状パルプまたは合成パルプ及び高吸水性樹脂を主成分とする吸収体４とから主に構成され、かつ前記吸収体４の周囲においては前記不透液性裏面シート２と透液性表面シート３との外縁部がホットメルトなどの接着剤やヒートシール等の接着手段によって接合されている。必要に応じて、前記吸収体４の形状保持および拡散性向上のために、クレープ紙や不織布等からなる被包シートによって前記吸収体を囲繞することができるし、前記吸収体４の略側縁部を起立基端とし、かつ少なくとも尿排出部位Ｈを含むように長手方向に所定の区間内において肌側に突出して設けられた左右一対の立体ギャザーを形成するサイド不織布を設けてもよい。また、前記透液性表面シート３と吸収体４との間に、親水性のセカンドシートを配設することができる。
【００２８】
以下、さらに前記失禁パッド１の構造について詳述すると、
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００２９】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。
【００３０】
前記吸収体４は、たとえば綿状パルプ等の吸収性繊維と高吸水性樹脂とにより構成され、図示例では平面形状がパッド長手方向に長い縦長の略小判形とされている。前記高吸水性樹脂は例えば粒状粉とされ、所定の領域に偏在して配置されている。
【００３１】
前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記パルプの目付は、１００ｇ／ｍ２〜６００ｇ／ｍ２、好ましくは２００ｇ／ｍ２〜５００ｇ／ｍ２とするのがよい。
【００３２】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸収倍率（吸水力）と吸収速度の調整が可能である。
【００３３】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、尿に対する親和性を有するように、疎水性繊維の場合には親水化剤によって表面処理したものを用いるのが望ましい。
【００３４】
前記吸収体４の幅寸法は、全長に亘って略等幅としてもよいし、股間部への当たりによって着用者にゴワ付き感を与えないように、体液排出部Ｈを含む股間部に対応する長手方向の所定区間に円弧状に切り欠いた部分を設けてもよい。
【００３５】
〔吸収体４〕
以下、前記吸収体４について更に詳細に説明する。本失禁パッド１においては、図１及び図２に示されるように、前記吸収体４は、少なくとも体液排出部Ｈを含む排尿部領域１２に、前記高吸水性樹脂が配置された高吸水性樹脂配置領域１０と、前記高吸水性樹脂が配置されていない高吸水性樹脂無配置領域又は前記高吸水性樹脂配置領域１０よりも前記高吸水性樹脂の密度が相対的に低い高吸水性樹脂低密度領域（以下、「高吸水性樹脂無配置領域又は高吸水性樹脂低密度領域１１」という。）とがそれぞれ失禁パッド１の略長手方向に沿う方向に延びるとともに、失禁パッド１の幅方向に交互に配置されている。すなわち、パッド長手方向に延びる筋状の前記高吸水性樹脂配置領域１０と前記高吸水性樹脂無配置領域又は高吸水性樹脂低密度領域１１とがパッド幅方向に隣接して交互に配置されている。
【００３６】
前記高吸水性樹脂配置領域１０は、前記高吸水性樹脂が配置された、前記高吸水性樹脂低密度領域に比べ高吸水性樹脂の密度が相対的に高い幅方向範囲のことであり、高吸水性樹脂のみによって構成されるか、パルプに高吸水性樹脂が多く偏在することによって構成されたものである。
【００３７】
前記高吸水性樹脂無配置領域又は高吸水性樹脂低密度領域１１は、前記高吸水性樹脂が存在しないか、前記高吸水性樹脂配置領域１０に比べ高吸水性樹脂の密度が相対的に低い幅方向範囲のことであり、高吸水性樹脂を全く含まないパルプのみによって構成されるか、パルプ中に若干の高吸水性樹脂が混入するものの、前記高吸水性樹脂配置領域１０に比べ高吸水性樹脂の密度が極端に小さくなるように構成されたものである。具体的に、前記高吸水性樹脂低密度領域１１における高吸水性樹脂の配合量は、前記高吸水性樹脂配置領域１０の高吸水性樹脂配合量の１〜４０％、好ましくは１〜２０％とするのが望ましい。
【００３８】
前記高吸水性樹脂配置領域１０及び高吸水性樹脂無配置領域又は高吸水性樹脂低密度領域１１は、少なくとも体液排出部Ｈを含む排尿部領域１２、好ましくは着用者の股間部に対応する股間部領域に形成されている。図１に示される失禁パッド１は、体液排出部Ｈを中心としてその前後にほぼ同等の長さで延びる長手寸法を有する構造であるため、前記排尿部領域１２は、長手方向中央部に位置しているが、臀部溝を広く覆うように後方に長く形成された失禁パッド１の場合、前記排尿部領域１２は製品前側寄りに位置するようになる。
【００３９】
図１に示される例では、前記高吸水性樹脂配置領域１０及び高吸水性樹脂無配置領域又は高吸水性樹脂低密度領域１１は、吸収体４の長手方向の全長に亘って形成されている。すなわち、前記高吸水性樹脂配置領域１０及び高吸水性樹脂無配置領域又は高吸水性樹脂低密度領域１１がそれぞれ吸収体４の前側端縁と後側端縁とを貫くように形成されている。一方、後述するように、前記高吸水性樹脂配置領域１０及び高吸水性樹脂無配置領域又は高吸水性樹脂低密度領域１１を幅方向に交互に配置するのは、排尿部領域１２を含む長手方向の中間部までとし、それより長手方向の端部側を全幅に亘って高吸水性樹脂配置領域１０によって構成してもよい。
【００４０】
失禁パッド１の幅方向に対しては、幅方向の全幅に亘って前記高吸水性樹脂配置領域１０及び高吸水性樹脂無配置領域又は高吸水性樹脂低密度領域１１を交互に配置するようにしてもよいし、幅方向の中央部のみを前記高吸水性樹脂配置領域１０及び高吸水性樹脂無配置領域又は高吸水性樹脂低密度領域１１が交互に配置された領域とし、それより両側を高吸水性樹脂配置領域１０によって構成するか、高吸水性樹脂無配置領域又は高吸水性樹脂低密度領域１１によって構成してもよく、好ましくは横漏れ防止の観点から高吸水性樹脂配置領域１０によって構成するのがよい。
【００４１】
図２及び図３(A)に示されるように、前記吸収体４の肌側面は、吸液前において、ほぼ平坦となるように形成するのが好ましい。すなわち、前記高吸水性樹脂配置領域１０の高さと高吸水性樹脂無配置領域又は高吸水性樹脂低密度領域１１の高さとがほぼ同等に形成され、肌側に前記高吸水性樹脂配置領域１０と高吸水性樹脂無配置領域又は高吸水性樹脂低密度領域１１との高低差による凹凸が設けられないようにするのが好ましい。ほぼ平坦に形成されるとは、凸部と凹部の高低差が２ｍｍ以内、好ましくは１ｍｍ以内としたものである。
【００４２】
以上の構成からなる失禁パッド１においては、図３(B)に示されるように、排尿時に、前記高吸水性樹脂が吸水して膨潤することにより、前記高吸水性樹脂配置領域１０が高吸水性樹脂無配置領域又は高吸水性樹脂低密度領域１１より肌側に高く隆起することによって、吸収体４の表面に、前記高吸水性樹脂配置領域１０による畝部１３と、前記高吸水性樹脂無配置領域又は高吸水性樹脂低密度領域１１による溝部１４とが、失禁パッド１の略長手方向に沿う方向に延びるとともに、失禁パッド１の幅方向に交互に形成されるようになる。従って、少量ずつ同じ部分に繰り返しの排尿があった場合でも、それまでの排尿によって形成された前記畝部１３及び溝部１４のうち、前記溝部１４を通って体液が前後に流れて吸水されるため、同じ場所に集中して尿が吸収されるのが防止でき、特定の領域の高吸水性樹脂のみが膨潤して着用者に違和感を与えるようなことがなくなり、装着感を悪化させることがない。また、尿が同じ場所に吸収されるとゲルブロッキングにより吸液不能となり漏れが生じる場合があるが、本失禁パッド１では、上述の通り、溝部１４を通って尿が拡散して吸収されるため、高い吸収性能が得られるようになる。また、前記高吸水性樹脂無配置領域又は前記高吸水性樹脂低密度領域にはパルプを有しているため、パルプが存在せず高吸水性樹脂のみからなる場合に比べて初期吸水速度が速く、体液が拡散しすぎて漏れが発生するのが防止できる。
【００４３】
更に、吸液後に肌に接触する部分は、前記高吸水性樹脂配置領域１０によって形成された畝部１３の先端であるため、肌との接触面積が小さくなり、濡れ感による不快感が軽減できるとともに、肌接触面に高吸水性樹脂が多く存在するため、液戻りが少なくなる。
【００４４】
また、上述の通り、吸液前の前記吸収体４の肌側面がほぼ平坦に形成されているため、吸液前の状態では失禁パッド１の表面が肌面に密着でき、腹圧性失禁などのように少量の尿が排出された場合でも、尿が肌を伝って流れることがなくなり、確実に吸収体４に吸収されるようになる。
【００４５】
次いで各部の寸法について説明すると、吸収体４の幅が４５〜１００ｍｍのものに対して、前記高吸水性樹脂配置領域１０の幅は、５〜２０ｍｍ、好ましくは１０ｍｍ程度とするのがよく、高吸水性樹脂無配置領域又は高吸水性樹脂低密度領域１１の幅は、８〜２０ｍｍ、好ましくは１０ｍｍ程度とするのがよい。高吸水性樹脂配置領域１０の高吸水性樹脂が吸水して膨潤し、吸収体４の表面に前記高吸水性樹脂配置領域１０部分による畝部と前記高吸水性樹脂無配置領域又は高吸水性樹脂低密度領域１１部分による溝部とが形成された際、高吸水性樹脂の膨潤によって前記溝部が埋まってしまうのを防止するため、高吸水性樹脂無配置領域又は高吸水性樹脂低密度領域１１の幅の下限値は、高吸水性樹脂配置領域１０の幅の下限値より大きめの８ｍｍ以上としている。
【００４６】
前記高吸水性樹脂配置領域１０と高吸水性樹脂無配置領域又は高吸水性樹脂低密度領域１１との境界は必ずしも明確である必要はなく、高吸水性樹脂配置領域１０の高吸水性樹脂が高吸水性樹脂無配置領域又は高吸水性樹脂低密度領域１１のパルプ繊維間に入り込むことによって境目が不明確となっていてもよい。この場合には、高吸水性樹脂の目付が最大目付の６０％以上の範囲内を高吸水性樹脂配置領域１０とし、この目付より小さな範囲を高吸水性樹脂無配置領域又は高吸水性樹脂低密度領域１１とすることができる。
【００４７】
高吸水性樹脂配置領域１０、１０…が複数条で設けられた場合において、各高吸水性樹脂配置領域１０の幅は一定である必要はなく、各部で異なるようにしてもよい。例えば、図１に示されるように、幅方向中央部の高吸水性樹脂配置領域１０、１０を幅広とし、両側の高吸水性樹脂配置領域１０、１０を幅狭としてもよい。
【００４８】
前記高吸水性樹脂無配置領域又は高吸水性樹脂低密度領域１１は、吸収体４の幅方向中央に配置するのが好ましい。つまり、吸収体４の長手方向中心線が通る位置に高吸水性樹脂無配置領域又は高吸水性樹脂低密度領域１１が位置するパターンで配置するのが好ましい。これにより、高吸水性樹脂が吸水することによって前記畝部１３及び溝部１４が形成されたとき、幅方向中央部の着用者の体液排出部Ｈに当接する部分が溝部１４となり、繰り返し排出される尿を前記溝部１４を通じて前後方向に拡散しやすくなる。前記高吸水性樹脂無配置領域又は高吸水性樹脂低密度領域１１は、吸収体４の幅方向中央に配置するとともに、その両側にそれぞれ１本又は複数本配置することによって、全体として３本以上の奇数本で配置するのが好ましい。この場合、高吸水性樹脂配置領域１０は、全体として２本以上の偶数本で配置されるようになる。特に、吸収体４の両側部が高吸水性樹脂配置領域１０となるパターンが望ましいので、その場合には、高吸水性樹脂配置領域１０を４本以上の偶数本で配置するのが好ましい。
【００４９】
前記高吸水性樹脂配置領域１０及び高吸水性樹脂無配置領域又は高吸水性樹脂低密度領域１１の平面パターンとしては、図１に示されるように、前記高吸水性樹脂配置領域１０及び高吸水性樹脂無配置領域又は高吸水性樹脂低密度領域１１が吸収体４の長手方向の全長に亘って形成されるようにしてもよいし、図４に示されるように、前後端部からの尿の漏れを防止するため、吸収体４の長手方向両端部がそれぞれ、全幅に亘って高吸水性樹脂配置領域１０とされ、高吸水性樹脂無配置領域又は高吸水性樹脂低密度領域１１が配置されないようにしてもよい。すなわち、前記高吸水性樹脂無配置領域又は高吸水性樹脂低密度領域１１は、前後端縁まで達しない長手方向中間までとし、それより長手方向の端部側に高吸水性樹脂配置領域１０が形成されるようにしている。
【００５０】
前記高吸水性樹脂無配置領域又は高吸水性樹脂低密度領域１１は、図４に示されるように、種々の平面パターンで配置することが可能である。図４(A)では、吸収体４の幅方向中央部とその両側にそれぞれ１本ずつ合計３本の高吸水性樹脂無配置領域又は高吸水性樹脂低密度領域１１、１１…をほぼ同じ長さで配置している。また、同図４(B)では、長さの異なる高吸水性樹脂無配置領域又は高吸水性樹脂低密度領域１１、１１…を配置している。この場合、幅方向中央部の高吸水性樹脂無配置領域又は高吸水性樹脂低密度領域１１を最も長くし、外側に位置するものの方が漸次短くなるように形成するのが好ましい。幅方向中央部の高吸水性樹脂無配置領域又は高吸水性樹脂低密度領域１１を長く形成することによって、尿が長手方向のより広い範囲に拡散でき、吸収体４を長手方向の広範囲に亘って有効活用することができるようになる。また、前記高吸水性樹脂無配置領域又は高吸水性樹脂低密度領域１１は、全長に亘って直線でもよいし、同図４(C)に示されるように、長手方向の端部において幅方向の外側又は内側に湾曲又は屈曲する折れ曲がり部１１ａを設けるようにしてもよい。これにより、前記高吸水性樹脂無配置領域又は高吸水性樹脂低密度領域１１によって形成される畝部１４に沿って長手方向に流れる尿を前記折れ曲がり部１１ａに沿って幅方向に誘導できるため、吸収体４をより広い範囲に亘って有効活用できるようになる。前記折れ曲がり部１１ａは、特に幅方向中央の高吸水性樹脂無配置領域又は高吸水性樹脂低密度領域１１において、二股以上の複数に分岐させてもよい。
【００５１】
前記高吸水性樹脂配置領域１０において、前記高吸水性樹脂は、図２及び図３に示されるように、吸収体４の厚み方向に対してほぼ均等に配置されるようにしてもよいし、図５に示されるように、吸収体４の肌側に偏在して配置されるようにしてもよい。厚み方向に均等に配置した場合には、厚み方向に対する吸収性能が向上する。一方、肌側に偏在して配置した場合には、高吸水性樹脂が吸水して膨潤したときに高吸水性樹脂配置領域１０が肌側に隆起して畝部１３が形成されやすくなる。高吸水性樹脂を吸収体４の肌側に偏在して配置する形態としては、図５(A)に示されるように、厚み方向に対して肌側の高吸水性樹脂層と非肌側のパルプ層とからなる２層構造としてもよいし、同図５(B)に示されるように、肌側から非肌側にかけて高吸水性樹脂の密度が徐々に小さくなるような構造としてもよい。
【００５２】
次に、前記吸収体４と透液性表面シート３との固定要領について説明する。前記吸収体４と透液性表面シート３とは、図６に示されるように、前記高吸水性樹脂配置領域１０の幅方向中央部を長手方向に沿う筋状の接着部１５にて接合し、前記高吸水性樹脂無配置領域又は高吸水性樹脂低密度領域１１では接合しないようにすることができる。これによって、高吸水性樹脂が吸水して膨潤し高吸水性樹脂配置領域１０が肌側に隆起した畝部１３が形成されたとき、図６(B)に示されるように、前記高吸水性樹脂無配置領域又は高吸水性樹脂低密度領域１１によって形成される溝部１４が透液性表面シート３が介在しない空間部となり、この空間部を通って体液が拡散しやすくなる。
【００５３】
また、前記吸収体４と透液性表面シート３とを接合する他の形態例として、図７に示されるように、前記高吸水性樹脂配置領域１０の幅方向中央部を長手方向に沿う筋状の接着部１５に加えて、前記高吸水性樹脂無配置領域又は高吸水性樹脂低密度領域１１の幅方向中央部を長手方向に沿う筋状の接着部１６にて接合することができる。これによって、図７(B)に示されるように、高吸水性樹脂が吸水して膨潤し吸収体４の肌側に畝部１３と溝部１４が形成されるのに連動して、透液性表面シート３も凹凸状に形成されるため、肌との接触面積が低下して濡れ感による不快感を感じにくくすることができる。
【００５４】
前記高吸水性樹脂配置領域１０及び高吸水性樹脂無配置領域又は高吸水性樹脂低密度領域１１を備えた吸収体４を製造するには、前述のように、高吸水性樹脂配置領域１０の形成予定部分の肌側面に凹溝を形成したパルプ基材に対して、前記凹溝に高吸水性樹脂を充填することにより成すことができる。この方法では、高吸水性樹脂の充填量を調整することにより、吸収体４の肌側面を容易に平坦にすることができるなどの利点を有する。
【００５５】
また、他の製造方法として、図８(A)に示されるように、積繊ドラムの吸収体形成用凹部内に筋状に高吸水性樹脂を散布した後、パルプを積繊することにより形成してもよいし、同図８(B)に示されるように、積繊時に吸収体形成用凹部の底部から吸引力に強弱をつけることで高吸水性樹脂の密度に変化を持たせるようにしてもよいし、同図８(C)に示されるように、パルプのみを積繊した後、その表面に高吸水性樹脂を筋状に散布することにより形成してもよいし、同図８(D)に示されるように、吸収体形成用凹部内をパルプと高吸水性樹脂との混合ゾーンとパルプのみのゾーンとに分けて積繊することにより形成してもよい。
【００５６】
更に、他の製造方法として、前記高吸水性樹脂配置領域１０に対応する部分に高吸水性樹脂が配置されたポリマーシートを、パルプを主成分とするパルプ層の肌側に積層することにより形成してもよい。この製造方法では、高吸水性樹脂がポリマーシート内に定着しているため、製造工程で高吸水性樹脂がこぼれ落ちるのが軽減され、製造が容易になるなどの利点を有する。前記ポリマーシートは、吸収体４の肌側面が極力平坦になるように、２ｍｍ以下の厚みで形成するのが望ましい。
【００５７】
前記ポリマーシートとしては、２枚の不織布間に高吸水性樹脂がホットメルト接着剤などのバインダーによって結合されるとともに、前記高吸水性樹脂無配置領域又は高吸水性樹脂低密度領域１１及び外縁部において両不織布同士が直接ホットメルト接着剤、ヒートシール、超音波シールなどによって接合されることにより、２枚の不織布間に高吸水性樹脂が封入されたものを使用してもよいし、不織布内に高吸水性樹脂を保持させたものや、繊維状の高吸水性樹脂（ＳＡＦ）を不織布内に混合したものなどを使用してもよい。
【符号の説明】
【００５８】
１…失禁パッド、２…不透液性裏面シート、３…透液性表面シート、４…吸収体、１０…高吸水性樹脂配置領域、１１…高吸水性樹脂無配置領域又は高吸水性樹脂低密度領域、１２…排尿部領域、１３…畝部、１４…溝部、１５・１６…接着部
【図１】
0006604800.tif 000002
【図２】
0006604800.tif 000003
【図３】
0006604800.tif 000004
【図４】
0006604800.tif 000005
【図５】
0006604800.tif 000006
【図６】
0006604800.tif 000007
【図７】
0006604800.tif 000008
【図８】
0006604800.tif 000009